(57)【要約】      （修正有）【課題】組立式楽譜面台に装着して、ハーモニカを複数本置く目的で考案したものである。小型軽量で構造が簡単丈夫、持ち運び便利、脱着簡単ですぐ使用できる。ハーモニカを置いたとき、表面が滑らず、接触雑音が出にくく、安心して置ける安定性の優れた置き台である。【解決手段】アルミニウム金属又はプラスチックス材の加工で小型軽量、加工性が良い事。装着部分はＵ字形溝に加工して、譜面台底部前面立ち上がり部に差し込んで装着する。置き台面に雑音、振動を吸収し且つ滑りにくい素材を貼る事により台上に置いたとき接触雑音を発せず、台上に置いた物が滑り落ちない安定したハーモニカ置き台が得られる。【選択図】図３
0003125969.tif 000002
【実用新案登録請求の範囲】
【請求項１】
本考案は楽譜面台の楽譜置き底部前面立ち上がり部に装着する脱着可能なハーモニカ又は小物置き台である。装着部分はＵ字型溝に加工して譜面台底部前面の立ち上がり部分を介して本考案のハーモニカ置き台のＵ字形溝に差し込んで装着する。楽譜面とハーモニカ置き台面との角度は１１０度から１５０度の範囲内である。よって譜面台底部前面の立ち上がり部との角度は２０度から６０度の範囲に置き台取り付け部の角度を決める。置き台には複数本のハーモニカを置くことが出来る。
【請求項２】
ハーモニカ置き台面は、ハーモニカを置いた時に生ずる振動、雑音の発生を低減させ、且つ滑り止め効果のある素材を貼り付け滑落下しなくしたものである。
置き台端部は滑落防止曲げ加工をする。
【考案の詳細な説明】
【技術分野】
【０００１】本考案は楽譜面台に装着して使用するハーモニカの置き台に関する。
【背景技術】
【０００２】ハーモニカの演奏には、曲によって種類の異なるハーモニカを複数本準備しなければならない。本考案は譜面台と同じ高さに置き台を直接取り付けられる。
【考案の開示】
【考案が解決しようとする課題】
【０００３】演奏等でハーモニカを置く置き台が各人毎に簡単に安全に確保出来る。
【課題を解決するための手段】
【０００４】各人毎の楽譜面台に軽量且つ小型で安定したハーモニカ置き台を取り付けられる。【０００５】置き台面は物を置いた時、滑らず衝撃を吸収する加工を施してある。
【考案の効果】
【０００６】譜面台に小型軽量で脱着可能な置き台を各人毎に取り付けられることにより、ハーモニカ等の楽器練習時、ハーモニカ等の小物の置き場所に困ることなく練習に専念することが出来る。且つ、滑り止めの加工を施すことにより、安定した使い心地で、演奏中に置き台の上の物が転がる心配なく使用出来る。
【考案を実施するための最良の形態】
【０００７】小型軽量で持ち運び便利な事。取り付け溝を図に示すようにＵ字型に曲げ加工する事によって、装脱着が簡単である。加工が直線曲げのみなので量産に適す。【０００８】置き面に緩衝効果を持ったシートを貼り付加工する事により、ハーモニカ等の小物を置いたとき静かで滑り落ちない安定した置き面が得られる。
【実施例】
【０００９】楽器練習時、各人持参して譜面台の底部分に装着し、使用する。
【図面の簡単な説明】
【００１０】
【図１】ハーモニカの置き台を示した平面図である。
【図２】ハーモニカの置き台を示した断面図である。
【図３】譜面台にハーモニカ置き台を取り付けた状態を示した図である。
【符号の説明】
【００１１】１  取り付け置き台本体
２  音、振動緩衝シート
３  シート接着材料
４  譜面台
【図１】
0003125969.tif 000003
【図２】
0003125969.tif 000004
【図３】
0003125969.tif 000005
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
本考案は取り付台本体１に挿入溝１ａを形成し簡易組立式楽譜面台４の譜面載置Ｌ型部４ａに差し込んで装着するものでその溝１ａの取り付け角度αを３０±５度とし、置台面２が水平を保つよう一体形成し、置き台面２はハーモニカ三本を並べて置ける広さとし置いた時に生じる振動、接触音の発生を低減させ且つ滑り止め効果の有るゴム、プラスチックスの発砲体２を貼り付け端面１ｂを立ち上げ滑落しなくしたハーモニカ置き台。
【手続補正２】
【補正対象書類名】明細書
【補正対象項目名】全文
【補正方法】変更
【補正の内容】
【考案の詳細な説明】
【技術分野】
【０００１】本考案は、演奏時あるいは練習時に使用する組み立て式楽譜面台に、直接取り付け、取り外しが簡単に出来る簡易ハーモニカ置き台で、譜面台用補助棚に関するものである。
【背景技術】
【０００２】従来は複数本のハーモニカを一時的に保管する際演奏者の近傍に置き台を準備したり、ポケット等の中に入れたりしていた。
【背景技術】
【０００３】ハーモニカの演奏、合奏練習には、曲によって種類、調の異なるハーモニカを複数本準備しなければならない。その置き場所と方法を確保するためかなりの時間と労力を要した。
【考案の開示】
【考案が解決しようとする課題】
【０００４】演奏、合奏練習等でハーモニカを置く置き台が  各人その場で簡単に取り付け取り外しができ三本のハーモニカが置ける小型、軽量、構造が簡素でかさばらない、安全性、安定性の高い丈夫なハーモニカ置き台、ハーモニカ交換時、台との接触音、振動が発せず、滑りにくく滑落しない置き台であること。
【課題を解決するための手段】
【０００５】本考案は課題を解決するため以下の構造において、図１は装着状態を示す正面図、図２は図１の要部右側面図を示す。図３は本体平面図で、図４は装着溝１ａを有するその断面図で置き台面２と３０±５度の角度関係で一体形成し、置き台面２は三本のハーモニカを並べて置ける広さを保ち滑り止め緩衝シートを貼り付けてある。その端部１ｂは滑落防止立ち上げである。図５は実施状態図を示す。【０００６】本体１は軽金属、又は耐久性プラスチックスで一体形成する。取り付け、取り外しは、本体１に形成した深い溝１ａを介して譜面台面４の低部立ち上がり垂直部４ａに挿入し固定さす。その溝巾は４ａの厚さとしっくり嵌る溝巾とし、置き台面２は溝挿入取り付け状態で、ほぼ水平の角度関係α３０±５度にして保ち、端部１ｂはハーモニカを置た時滑落しないように１ｂ立ち上げ一体形成する。【０００７】置き台面２は物を置いた時、滑らず、音を立てず衝撃を吸収するゴム、プラスチックス等の発砲シートを接着３で貼り付け加工する
【考案の効果】
【０００８】譜面台の溝に差し込むだけで取り付けられる小型軽量な置き台を各人毎が持つことにより、演奏準備にかかる時間の短縮、複数のハーモニカを置くスペースが確保されたことにより迅速にハーモニカを交換することができ、さらに滑り止め効果により滑落の心配なく静かに安定した使い心地で使用できる。
【考案を実施するための最良の形態】
【０００９】小型軽量で持ち運び便利な事。取り付け溝１ａが図に示すようにＵ字型で深く、譜面台にしっかり固定でき装着脱が簡単である。一体型で形状が量産に適すこと。【００１０】置き面は平らで、緩衝効果を持った滑り止めシートを貼付加工する事により、滑り落ちない安定感を持ち、三本のハーモニカを並べて置ける奥行きがあること。
【実施例】
【００１１】以下、添付図面に従って一実施例を説明する。１は耐久性のプラスチックス等、又は金属板で一体化形成された本体である。２はハーモニカを置く面に接触音吸収、振動緩衝、滑り止め効果のあるシートを貼り付けた面である。１ａは、本体にＵ字形に形成された取り付け溝で、１ａ溝を介してハーモニカ置き台を  譜面台４の底辺直角立ち上がり部４ａへ溝を差し込むことにより  装着でき，固定される。その状態で置き台面は水平を保つ角度αで保持される。１ｂの立ち上げで  置き台面からハーモニカの滑落を防止する。
【図面の簡単な説明】
【００１２】
【図１】組立式譜面台に本体を装着した正面図である。
【図２】組立式譜面台に本体を装着した要部右側面図である。
【図３】考案本体平面図である。
【図４】考案本体断面図である。
【図５】本考案の実施例によるハーモニカ置き台の斜視図である。
【符号の説明】
【００１３】１    ハーモニカ置き台本体
１ａ  Ｕ字形深溝
１ｂ  滑落防止立ち上げ
２    音、振動緩衝、滑り止めシート
３    シート接合材料
４    譜面台
４ａ  譜面台底辺直角立ち上がり部
α    置き台面と取り付けＵ字形深溝の角度  ３０±５度
５    ハーモニカ
【手続補正３】
【補正対象書類名】図面
【補正対象項目名】全図
【補正方法】変更
【補正の内容】
【図１】
0003125969.tif 000006
【図２】
0003125969.tif 000007
【図３】
0003125969.tif 000008
【図４】
0003125969.tif 000009
【図５】
0003125969.tif 000010